(57)【特許請求の範囲】
【請求項１】
信号処理ユニット（２０４）と、前記信号処理ユニット（２０４）に連結される送信機部分（２３０）とを備える送信通信装置（２０２）であって、
前記信号処理ユニット（２０４）は、
セッション鍵と携帯電話シリアル番号とのうちの少なくとも１つに基づき符号語を生成する符号語発生器（２１２）と；
複数の符号が入力される直交変調器（２１４）と
を備え、
前記直交変調器（２１４）は、
前記符号それぞれを複数の周波数サブバンドのうちのそれぞれに割当てることによって、複数の並列型の割当符号を生成する直列並列変換器（２１６）と；
複数の位相シフタ（２１０，６００）からなる位相シフタモジュールであって、前記位相シフタ（２１０，６００）それぞれは、前記符号語に基づき前記割当符号それぞれの位相をシフトすることによって複数の位相シフト符号を生成することと；
複数の前記位相シフト符号が入力される変成器（２１８）であって、前記変成器（２１８）は、前記位相シフト符号それぞれを変調することによって、複数の並列型の変調タイムドメイン副搬送波を生成し、前記変調タイムドメイン副搬送波はそれぞれ、互いに直交することと；
複数の前記変調タイムドメイン副搬送波を並列型から直列型に変換することによって、出力信号を生成する並列直列変換器（２２０）と
を備え、
前記送信機部分（２３０）は、無線リンク（１０４）を介して前記出力信号を送信するように構成され、
前記符号語発生器（２１２）は、
前記符号語のビット列を保存する円形バッファ（４１４）であって、前記円形バッファ（４１４）は、最初に直列化された最上位ビットと、最後に直列化された最下位ビットとを備えたシフトレフトレジスタであり、前記最上位ビットが前記円形バッファ（４１４）から読取られるごとに、前記円形バッファ（４１４）は、１つの位置だけ左にシフトされ、前記最上位ビットは、前記最下位ビットとして前記円形バッファ（４１４）内にバックロードされることと；
前記円形バッファ（４１４）内に保存された前記ビット列に基づく直接配列（４１８）が入力される排他的論理和ゲート（４２２）であって、前記排他的論理和ゲート（４２２）は、ランダム配列（４２０）を前記直接配列（４１８）に排他的論理和することによって、ゲート符号語（４２４）を生成することと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成する乗算器（４３４）と
を備えるように構成されることを特徴とする、送信通信装置。
【請求項２】
複数の前記符号は、ユーザデータに関連する符号である複数のユーザデータ符号と、パイロットデータに関連する符号である複数のパイロットデータ符号とからなり、
前記直列並列変換器（２１６）は、前記ユーザデータ符号それぞれを前記周波数サブバンドそれぞれに割当てることによって、前記割当符号を生成するように構成される、
請求項１記載の送信通信装置。
【請求項３】
前記位相シフタ（２１０，６００）はそれぞれ、
前記割当符号それぞれについてｓｉｎαとｃｏｓαを生成する正弦余弦関数発生器（６０２）であって、前記αは前記符号語から得られることと；
前記割当符号それぞれについて、前記ｓｉｎαと前記ｃｏｓαに基づき前記ユーザデータ符号の位相をシフトすることによって、前記位相シフト符号を生成する直交暗号器（６０４）と
を備える、
請求項２記載の送信通信装置。
【請求項４】
信号処理ユニット（２０４）と、前記信号処理ユニット（２０４）に連結される送信機部分（２３０）とを備える送信通信装置（２０２）であって、
前記信号処理ユニット（２０４）は、
セッション鍵と携帯電話シリアル番号とのうちの少なくとも１つに基づき符号語を生成する符号語発生器（２１２）と；
複数の符号と前記符号語とが入力される１つの位相シフタ（２１０，６００）であって、前記位相シフタ（２１０，６００）は、前記符号語に基づき前記符号それぞれの位相をシフトすることによって、複数の位相シフト符号からなる位相シフト符号ストリームを生成することと；
前記位相シフト符号ストリームが入力される直交変調器（２１４）と
を備え、
前記直交変調器（２１４）は、
前記位相シフト符号それぞれを複数の周波数サブバンドのうちのそれぞれに割当てることによって、複数の並列型の暗号化符号を生成する直列並列変換器（２１６）と；
複数の前記暗号化符号が入力される変成器（２１８）であって、前記変成器（２１８）は、前記暗号化符号それぞれを変調することによって、複数の並列型の変調タイムドメイン副搬送波を生成し、前記変調タイムドメイン副搬送波はそれぞれ、互いに直交することと；
複数の前記変調タイムドメイン副搬送波を並列型から直列型に変換することによって、出力信号を生成する並列直列変換器（２２０）と
を備え、
前記送信機部分（２３０）は、無線リンク（１０４）を介して前記出力信号を送信するように構成され、
前記符号語発生器（２１２）は、
前記符号語のビット列を保存する円形バッファ（４１４）であって、前記円形バッファ（４１４）は、最初に直列化された最上位ビットと、最後に直列化された最下位ビットとを備えたシフトレフトレジスタであり、前記最上位ビットが前記円形バッファ（４１４）から読取られるごとに、前記円形バッファ（４１４）は、１つの位置だけ左にシフトされ、前記最上位ビットは、前記最下位ビットとして前記円形バッファ（４１４）内にバックロードされることと；
前記円形バッファ（４１４）内に保存された前記ビット列に基づく直接配列（４１８）が入力される排他的論理和ゲート（４２２）であって、前記排他的論理和ゲート（４２２）は、ランダム配列（４２０）を前記直接配列（４１８）に排他的論理和することによって、ゲート符号語（４２４）を生成することと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成する乗算器（４３４）と
を備えるように構成されることを特徴とする、送信通信装置。
【請求項５】
受信通信装置（２５０）であって、
無線リンク（１０４）を介して入力信号を受信する受信機部分（２６０）であって、前記受信機部分（２６０）は、前記入力信号をダウンコンバートすることによってベースバンド信号を生成することと；
前記受信機部分（２６０）に連結された、前記ベースバンド信号を受信する信号処理ユニット（２７０）と
を備え、
前記信号処理ユニット（２７０）は、
セッション鍵と携帯電話シリアル番号とのうちの少なくとも１つに基づき符号語を生成する符号語発生器（２８４）と；
直交変調器（２７４）と
を備え、
前記直交変調器（２７４）は、
前記ベースバンド信号を直列型から並列型に変換することによって複数の変調タイムドメイン副搬送波を生成する直列並列変換器（２７６）であって、前記変調タイムドメイン副搬送波はそれぞれ、互いに直交することと；
前記変調タイムドメイン副搬送波それぞれを変換することによって、複数の位相シフト符号を生成する逆変成器（２７８）であって、複数の前記位相シフト符号は並列型であることと；
複数の位相シフタ（２８２，６００）からなる位相シフタモジュールであって、前記位相シフタ（２８２，６００）それぞれは、前記符号語に基づき前記位相シフト符号それぞれの位相をシフトすることによって並列型の暗号解読された符号である暗号解読符号を生成することと；
複数の前記暗号解読符号を並列型から直列型に変換することによって、暗号解読符号ストリームを生成する並列直列変換器（２８０）と
を備え、
前記符号語発生器（２８４）は、
前記符号語のビット列を保存する円形バッファ（４１４）であって、前記円形バッファ（４１４）は、最初に直列化された最上位ビットと、最後に直列化された最下位ビットとを備えたシフトレフトレジスタであり、前記最上位ビットが前記円形バッファ（４１４）から読取られるごとに、前記円形バッファ（４１４）は、１つの位置だけ左にシフトされ、前記最上位ビットは、前記最下位ビットとして前記円形バッファ（４１４）内にバックロードされることと；
前記円形バッファ（４１４）内に保存された前記ビット列に基づく直接配列（４１８）が入力される排他的論理和ゲート（４２２）であって、前記排他的論理和ゲート（４２２）は、ランダム配列（４２０）を前記直接配列（４１８）に排他的論理和することによって、ゲート符号語（４２４）を生成することと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成する乗算器（４３４）と
を備えるように構成されることを特徴とする、受信通信装置。
【請求項６】
前記タイムドメイン副搬送波は、ユーザデータに関連する変調ユーザデータタイムドメイン副搬送波と、パイロットデータに関連する変調パイロットデータタイムドメイン副搬送波とからなり、
前記逆変成器（２７８）は、前記変調ユーザデータタイムドメイン副搬送波それぞれを変換することによって、前記位相シフト符号それぞれを生成する、
請求項５記載の受信通信装置。
【請求項７】
前記位相シフタ（２１０，６００）はそれぞれ、
前記位相シフト符号それぞれについてｓｉｎαとｃｏｓαを生成する正弦余弦関数発生器（６０２）であって、前記αは前記符号語から得られることと；
前記正弦余弦関数発生器（６０２）に連結された直交暗号器（６０４）であって、前記直交暗号器（６０４）は、前記位相シフト符号それぞれについて、前記ｓｉｎαと前記ｃｏｓαに基づき前記位相シフト符号の位相をシフトすることによって、前記暗号解読符号を生成することと
を備える、
請求項６記載の受信通信装置。
【請求項８】
受信通信装置（２５０）であって、
無線リンク（１０４）を介して入力信号を受信する受信機部分（２６０）であって、前記受信機部分（２６０）は、前記入力信号をダウンコンバートすることによってベースバンド信号を生成することと；
前記受信機部分（２６０）に連結された、前記ベースバンド信号を受信する信号処理ユニット（２７０）と
を備え、
前記信号処理ユニット（２７０）は、
セッション鍵と携帯電話シリアル番号とのうちの少なくとも１つに基づき符号語を生成する符号語発生器（２８４）と；
直交変調器（２７４）と；
１つの位相シフタ（２８２，６００）と
を備え、
前記直交変調器（２７４）は、
前記ベースバンド信号を直列型から並列型に変換することによって複数の変調タイムドメイン副搬送波を生成する直列並列変換器（２７６）であって、前記変調タイムドメイン副搬送波はそれぞれ、互いに直交することと；
前記変調タイムドメイン副搬送波それぞれを変換することによって、複数の暗号化符号を生成する逆変成器（２７８）であって、複数の前記暗号化符号は並列型であることと；
複数の前記暗号化符号を並列型から直列型に変換することによって、複数の前記暗号化符号を有する暗号化符号ストリームを生成する並列直列変換器（２８０）と
を備え、
前記位相シフタ（２８２，６００）は、前記符号語に基づき前記暗号化符号それぞれの位相をシフトすることによって、複数の暗号解読符号を生成するように構成され、
前記符号語発生器（２８４）は、
前記符号語のビット列を保存する円形バッファ（４１４）であって、前記円形バッファ（４１４）は、最初に直列化された最上位ビットと、最後に直列化された最下位ビットとを備えたシフトレフトレジスタであり、前記最上位ビットが前記円形バッファ（４１４）から読取られるごとに、前記円形バッファ（４１４）は、１つの位置だけ左にシフトされ、前記最上位ビットは、前記最下位ビットとして前記円形バッファ（４１４）内にバックロードされることと；
前記円形バッファ（４１４）内に保存された前記ビット列に基づく直接配列（４１８）が入力される排他的論理和ゲート（４２２）であって、前記排他的論理和ゲート（４２２）は、ランダム配列（４２０）を前記直接配列（４１８）に排他的論理和することによって、ゲート符号語（４２４）を生成することと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成する乗算器（４３４）と
を備えるように構成されることを特徴とする、受信通信装置。
【請求項９】
符号語発生器（２１２）と、直交変調器（２１４）と、送信機部分（２３０）とを有する送信通信装置（２０２）が、無線送信を暗号化する暗号化方法であって、前記直交変調器（２１４）は、直列並列変換器（２１６）と、複数の位相シフタ（２１０，６００）からなる位相シフタモジュールと、変成器（２１８）と、並列直列変換器（２２０）とを有し、前記暗号化方法は、
前記符号語発生器（２１２）が、セッション鍵と携帯電話シリアル番号とのうちの少なくとも１つに基づき符号語を生成する符号語生成ステップと；
前記直列並列変換器（２１６）が、複数の符号のうちのそれぞれを複数の周波数サブバンドのうちのそれぞれに割当てることによって、複数の並列型の割当符号を生成する割当符号生成ステップと；
前記位相シフタ（２１０，６００）それぞれが、前記符号語に基づき前記割当符号の位相をシフトすることによって複数の位相シフト符号を生成する位相シフト符号生成ステップと；
前記変成器（２１８）が、前記位相シフト符号それぞれを変調することによって、複数の並列型の変調タイムドメイン副搬送波を生成する副搬送波生成ステップであって、前記変調タイムドメイン副搬送波はそれぞれ、互いに直交することと；
前記並列直列変換器（２２０）が、複数の前記変調タイムドメイン副搬送波を並列型から直列型に変換することによって、出力信号を生成する出力信号生成ステップと；
送信機部分（２３０）が、無線リンク（１０４）を介して前記出力信号を送信する出力信号送信ステップと
を有し、
前記符号語発生器（２１２）は、前記符号語のビット列を保存する円形バッファ（４１４）を備え、
前記円形バッファ（４１４）は、最初に直列化された最上位ビットと、最後に直列化された最下位ビットとを備えるシフトレフトレジスタであり、
前記符号語生成ステップは、前記符号語発生器（２１２）によって、
前記最上位ビットが前記円形バッファ（４１４）から読取られるごとに、前記円形バッファ（４１４）を１つの位置だけ左にシフトするステップであって、前記最上位ビットは、前記最下位ビットとして前記円形バッファ（４１４）内にバックロードされることと；
前記円形バッファ（４１４）内に保存された前記ビット列に基づく直接配列（４１８）を受信するステップと；
ランダム配列（４２０）を前記直接配列（４１８）に排他的論理和することによって、ゲート符号語（４２４）を生成するステップと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成するステップと
からなることを特徴とする、暗号化方法。
【請求項１０】
複数の前記符号は、ユーザデータに関連する符号である複数のユーザデータ符号と、パイロットデータに関連する符号である複数のパイロットデータ符号とからなり、
前記割当符号生成ステップは、前記直列並列変換器（２１６）が、前記ユーザデータ符号それぞれを前記周波数サブバンドそれぞれに割当てることによって、複数の前記割当符号を生成するステップからなる、
請求項９記載の暗号化方法。
【請求項１１】
前記位相シフト符合生成ステップは、
正弦余弦関数発生器（６０２）が、前記割当符号それぞれについてｓｉｎαとｃｏｓαを生成するステップであって、前記αは前記符号語から得られることと；
直交暗号器（６０４）が、前記割当符号それぞれについて、前記ｓｉｎαと前記ｃｏｓαに基づき前記割当符号の位相をシフトすることによって、複数の前記位相シフト符号を生成するステップと
からなる、
請求項１０記載の暗号化方法。
【請求項１２】
符号語発生器（２１２）と、１つの位相シフタ（２１０，６００）と、直交変調器（２１４）と、送信機部分（２３０）とを有する送信通信装置（２０２）が、無線送信を暗号化する暗号化方法であって、前記直交変調器（２１４）は、直列並列変換器（２１６）と、変成器（２１８）と、並列直列変換器（２２０）とを有し、前記暗号化方法は、
前記符号語発生器（２１２）が、セッション鍵と携帯電話シリアル番号とのうちの少なくとも１つに基づき符号語を生成する符号語生成ステップと；
１つの前記位相シフタ（２１０，６００）が、前記符号語に基づき複数の符号のうちのそれぞれの位相をシフトすることによって、複数の位相シフト符号からなる位相シフト符号ストリームを生成する位相シフト符号生成ステップと；
前記直交変調器（２１４）が、前記位相シフト符号ストリームを受信するストリーム受信ステップと；
前記直列並列変換器（２１６）が、前記位相シフト符号それぞれを複数の周波数サブバンドのうちのそれぞれに割当てることによって、複数の並列型の暗号化符号を生成する暗号化符号生成ステップと；
前記変成器（２１８）が、前記暗号化符号それぞれを変調することによって、複数の並列型の変調タイムドメイン副搬送波を生成する副搬送波生成ステップであって、前記変調タイムドメイン副搬送波はそれぞれ、互いに直交することと；
前記並列直列変換器（２２０）が、複数の前記変調タイムドメイン副搬送波を並列型から直列型に変換することによって、出力信号を生成する出力信号生成ステップと；
前記送信機部分（２３０）が、無線リンク（１０４）を介して前記出力信号を送信する出力信号送信ステップと
を有し、
前記符号語発生器（２１２）は、前記符号語のビット列を保存する円形バッファ（４１４）を備え、
前記円形バッファ（４１４）は、最初に直列化された最上位ビットと、最後に直列化された最下位ビットとを備えるシフトレフトレジスタであり、
前記符号語生成ステップは、前記符号語発生器（２１２）によって、
前記最上位ビットが前記円形バッファ（４１４）から読取られるごとに、前記円形バッファ（４１４）を１つの位置だけ左にシフトするステップであって、前記最上位ビットは、前記最下位ビットとして前記円形バッファ（４１４）内にバックロードされることと；
前記円形バッファ（４１４）内に保存された前記ビット列に基づく直接配列（４１８）を受信するステップと；
ランダム配列（４２０）を前記直接配列（４１８）に排他的論理和することによって、ゲート符号語（４２４）を生成するステップと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成するステップと
からなることを特徴とする、暗号化方法。
【請求項１３】
符号語発生器（２８４）と、直交変調器（２７４）と、受信機部分（２６０）とを有する受信通信装置（２５０）が、無線送信を復号化する復号化方法であって、前記直交変調器（２７４）は、直列並列変換器（２７６）と、逆変成器（２７８）と、複数の位相シフタ（２８２，６００）からなる位相シフタモジュールと、並列直列変換器（２８０）とを有し、前記復号化方法は、
前記受信機部分（２６０）が、無線リンク（１０４）を介して入力信号を受信する入力信号受信ステップと；
前記受信機部分（２６０）が、前記入力信号をダウンコンバートすることによってベースバンド信号を生成するベースバンド信号生成ステップと；
前記直列並列変換器（２７６）が、前記ベースバンド信号を直列型から並列型に変換することによって複数の変調タイムドメイン副搬送波を生成する副搬送波生成ステップであって、前記変調タイムドメイン副搬送波は、互いに直交することと；
前記逆変成器（２７８）が、前記変調タイムドメイン副搬送波それぞれを変換することによって、複数の位相シフト符号を生成する位相シフト符号生成ステップであって、複数の前記位相シフト符号は並列型であることと；
前記符号語発生器（２８４）が、セッション鍵と携帯電話シリアル番号とのうちの少なくとも１つに基づき符号語を生成する符号語生成ステップと；
前記位相シフタ（２８２，６００）それぞれが、前記符号語に基づき前記位相シフト符号それぞれの位相をシフトすることによって並列型の暗号解読された符号である暗号解読符号を生成する暗号解読符号生成ステップと；
前記並列直列変換器（２８０）が、複数の前記暗号解読符号を並列型から直列型に変換することによって、暗号解読符号ストリームを生成するストリーム生成ステップと
を有し、
前記符号語発生器（２１２）は、前記符号語のビット列を保存する円形バッファ（４１４）を備え、
前記円形バッファ（４１４）は、最初に直列化された最上位ビットと、最後に直列化された最下位ビットとを備えるシフトレフトレジスタであり、
前記符号語生成ステップは、前記符号語発生器（２１２）によって、
前記最上位ビットが前記円形バッファ（４１４）から読取られるごとに、前記円形バッファ（４１４）を１つの位置だけ左にシフトするステップであって、前記最上位ビットは、前記最下位ビットとして前記円形バッファ（４１４）内にバックロードされることと；
前記円形バッファ（４１４）内に保存された前記ビット列に基づく直接配列（４１８）を受信するステップと；
ランダム配列（４２０）を前記直接配列（４１８）に排他的論理和することによって、ゲート符号語（４２４）を生成するステップと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成するステップと
からなることを特徴とする、復号化方法。
【請求項１４】
前記タイムドメイン副搬送波は、ユーザデータに関連する変調ユーザデータタイムドメイン副搬送波と、パイロットデータに関連する変調パイロットデータタイムドメイン副搬送波とからなり、
前記副搬送波生成ステップは、前記逆変成器（２７８）が、前記変調ユーザデータタイムドメイン副搬送波それぞれを変換することによって、複数の前記位相シフト符号を生成するステップからなる、
請求項１３記載の復号化方法。
【請求項１５】
前記暗号解読符合生成ステップは、
正弦余弦関数発生器（６０２）が、前記位相シフト符号それぞれについてｓｉｎαとｃｏｓαを生成するステップであって、前記αは前記符号語から得られることと；
直交暗号器（６０４）が、前記位相シフト符号それぞれについて、前記ｓｉｎαと前記ｃｏｓαに基づき前記位相シフト符号それぞれの位相をシフトすることによって、前記暗号解読符号それぞれを生成するステップと
からなる、
請求項１４記載の復号化方法。
【請求項１６】
符号語発生器（２８４）と、１つの位相シフタ（２８２，６００）と、直交変調器（２７４）と、受信機部分（２６０）とを有する受信通信装置（２５０）が、無線送信を復号化する復号化方法であって、前記直交変調器（２７４）は、直列並列変換器（２７６）と、逆変成器（２７８）と、並列直列変換器（２８０）とを有し、前記復号化方法は、
前記受信機部分（２６０）が、無線リンク（１０４）を介して入力信号を受信する入力信号受信ステップと；
前記受信機部分（２６０）が、前記入力信号をダウンコンバートすることによってベースバンド信号を生成するベースバンド信号生成ステップと；
前記直列並列変換器（２７６）が、前記ベースバンド信号を直列型から並列型に変換することによって複数の変調タイムドメイン副搬送波を生成する副搬送波生成ステップであって、前記変調タイムドメイン副搬送波はそれぞれ、互いに直交することと；
前記逆変成器（２７８）が、前記変調タイムドメイン副搬送波それぞれを変換することによって、複数の暗号化符号を生成する暗号化符号生成ステップであって、複数の前記暗号化符号は並列型であることと；
並列直列変換器（２８０）が、複数の前記暗号化符号を並列型から直列型に変換することによって、複数の前記暗号化符号を有する暗号化符号ストリームを生成するストリーム生成ステップと；
符号語発生器（２８４）が、セッション鍵と携帯電話シリアル番号とのうちの少なくとも１つに基づき符号語を生成する符号語生成ステップと；
１つの位相シフタ（２８２，６００）が、前記符号語に基づき前記暗号化符号それぞれの位相をシフトすることによって、複数の暗号解読された符号である暗号解読符号を生成する解読符号生成ステップと
を有し、
前記符号語発生器（２１２）は、前記符号語のビット列を保存する円形バッファ（４１４）を備え、
前記円形バッファ（４１４）は、最初に直列化された最上位ビットと、最後に直列化された最下位ビットとを備えるシフトレフトレジスタであり、
前記符号語生成ステップは、前記符号語発生器（２１２）によって、
前記最上位ビットが前記円形バッファ（４１４）から読取られるごとに、前記円形バッファ（４１４）を１つの位置だけ左にシフトするステップであって、前記最上位ビットは、前記最下位ビットとして前記円形バッファ（４１４）内にバックロードされることと；
前記円形バッファ（４１４）内に保存された前記ビット列に基づく直接配列（４１８）を受信するステップと；
ランダム配列（４２０）を前記直接配列（４１８）に排他的論理和することによって、ゲート符号語（４２４）を生成するステップと；
前記ゲート符号語（４２４）を、前記変調タイムドメイン副搬送波それぞれのインデックスである副搬送波インデックス（４３２）に乗算することによって、前記変調タイムドメイン副搬送波ごとに前記符号語（４３６）を生成するステップと
からなることを特徴とする、復号化方法。
【発明の詳細な説明】
【技術分野】
【０００１】
本発明は概して無線通信システムに係り、より具体的には無線通信システムにおける無線通信の暗号化に関する。
【背景技術】
【０００２】
典型的な無線通信方式において、通信セッションがセットアップされると、セッション鍵が送信及び受信通信装置の間に分配される。セッション鍵は、次に、送信通信によって使用され、無線送信されたデータについてレイヤ２又レイヤ３暗号化を実施する。物理レイヤ、すなわちレイヤ１暗号化は行われず、すなわち、変調波形の暗号化は存在しない。更に、通常ユーザ・データだけが暗号化され、パイロット符号及び同期化符号はされないので、これらの符号はタイミング同期とフェージング回復の基準（reference）として使用されなければならない。
【発明の開示】
【発明が解決しようとする課題】
【０００３】
レイヤ２又はレイヤ３暗号化を実施すると、セッション鍵を傍受するか、或いは暴力（brute force）を適用することによってデータを暗号解読する傍受通信装置によって暗号解読され易いデータが放出される。従って、無線通信システムにおける通信の不都合な傍受器による暗号解読に対して、エアインタフェースをより安全にする方法及び装置の必要性が存在する。
【課題を解決するための手段】
【０００４】
無線通信システムにおける通信の不都合な傍受機による暗号解読に対してエアインタフェースをより安全にする方法及び必要性に取り組むため、ビット・ストリームを複数符号に変換し、複数の暗号化符号を生成すべく、複数符号のうちの各符号の位相をシフトすることによって、物理レイヤで暗号化を提供する通信装置が提供される。複数暗号化符号のうちの各暗号化符号は、直交副搬送波で変調されることによって、少なくとも一つの変調副搬送波を生成し、少なくとも一つの変調副搬送波は次に、無線リンクを介して送信される。受信側において、受信通信装置は送信された暗号化符号を受信し、送信側で符号を暗号化すべく、使用された位相に対応して各暗号化符号の位相をシフトすることによって、物理レイヤで暗号解読を提供する。
【０００５】
全般的に、本発明の実施例は、無線送信を暗号化する方法を包含する。該方法は、複数符号を受信することと、複数位相シフト符号を生成すべく、複数符号のうちの各符号の位相をシフトすることと、少なくとも一つの変調副搬送波を生成すべく直交副搬送波で複数位相シフト符号のうちの各位相シフト符号を変調することと、無線リンクを介して少なくとも一つの変調副搬送波を送信することとを含む。
【０００６】
本発明の別の実施例は、暗号化無線送信を受信する方法を包含する。該方法は、無線リンクを介して少なくとも一つの変調副搬送波を受信することと、複数の暗号化符号を生成すべく少なくとも一つの変調副搬送波を復調することと、複数の暗号解読符号を生成すべく複数の暗号化符号のうちの各暗号化符号に位相シフトを適用することとを含む。
【０００７】
本発明の更に別の実施例は、送信機部分に連結された信号処理ユニットを具備する通信装置を包含する。信号処理ユニットは、複数の符号を受信する位相シフタを具備し、該位相シフタは、複数符号のうちの各符号に位相シフトを適用することによって複数の位相シフト符号を生成する。信号処理ユニットは更に、複数の位相シフト符号を受信する直交変調器を具備し、該直交変調器は、複数の位相シフト符号のうちの各位相シフト符号を直交副搬送波によって変調することによって、少なくとも一つの変調副搬送波を生成する。送信機部分は無線リンクを介して、少なくとも一つの変調副搬送波を送信する。
【０００８】
本発明の更に別の実施例は、直交変調器を含む信号処理ユニットを具備する通信装置を包含し、該直交変調器は、送信機部分に連結される。直交変調器は、複数符号のうちの各符号を、複数周波数サブバンドのうちの周波数サブバンドに割り当てることによって、複数の割り当て符号を生成する直列／並列変換器と、複数位相シフト符号を生成する位相シフタ・モジュールとを具備し、位相シフタ・モジュールは複数の位相シフタを具備し、複数の位相シフタのうちの各位相シフタは、複数の割り当て符号のうちの割り当て符号を受信し、割り当て符号の位相をシフトすることによって、位相シフト符号を生成する。直交変調器は更に、複数の位相シフト符号のうちの各位相シフト符号を、該符号の周波数サブバンドに関連するタイム・ドメイン副搬送波に変換することによって、複数の変調タイム・ドメイン副搬送波を生成する変成器であって、複数の変調副搬送波は、並列型であることと、複数の変調副搬送波を並列型から直列型に変換することによって出力信号を生成する並列／直列変換器とを具備する。送信機部分は無線リンクを介して、複数の位相シフト符号を送信する。
【０００９】
本発明の更に別の実施例は、信号処理ユニットに連結された受信機部分を具備する通信装置を包含する。受信機部分は、無線リンクを介して変調搬送波を受信し、変調搬送波をダウンコンバートすることによって、ダウンコンバート信号を生成する。信号処理ユニットは、ダウンコンバート信号を受信する直交復調器を含み、該直交復調器は、ダウンコンバート信号を復調することによって、暗号化符号のストリームを生成することと、暗号化符号のストリームを受信する位相シフタであって、該位相シフタは、暗号化符号のストリームのうちの各符号に位相シフトを適用することによって、複数の暗号解読符号を生成することとを含む。
【００１０】
本発明の更に別の実施例は、信号処理ユニットに連結された受信機部分を具備する通信装置を包含する。受信機部分は無線リンクを介して変調搬送波を受信し、変調搬送波をダウンコンバートすることによって、ダウンコンバート信号を生成する。信号処理ユニットは、ダウンコンバート信号を複数のタイム・ドメイン副搬送波に割り当てる直列／並列変換器と、複数タイム・ドメイン副搬送波のうちの各タイム・ドメイン副搬送波を周波数ドメイン副搬送波に変換することによって、複数の暗号化符号を生成する逆変成器とを具備する直交変調器を含み、複数の暗号化符号は並列型である。信号処理ユニットは更に、複数の暗号解読符号を生成する位相シフタ・モジュールであって、位相シフタ・モジュールは複数の位相シフタを具備し、複数の位相シフタのうちの各位相シフタは、複数暗号化符号のうちの暗号化符号を受信し、暗号化符号の位相をシフトすることによって、暗号解読符号を生成することと、複数の暗号解読符号を並列型から直列型に変換することによって、暗号解読符号のストリームを生成する並列／直列変換器とを含む。
【発明を実施するための最良の形態】
【００１１】
本発明は、図１〜図８を参照して更に十分に説明し得る。図１は、本発明の実施例に従う無線通信システム１００のブロック図である。通信システム１００は、エアインタフェース１０４を介して、携帯電話、無線電話、無線データ・モデムのような移動局（ＭＳ）１１０と無線通信できる基地局（ＢＴＳ）１０２を含む。エアインタフェース１０４は、トラフィックと、パイロットと、ページング（paging）と、信号チャネルとを具備するフォワードリンク１０８を含む。エアインタフェース１０４は、更に、トラフィックと、アクセスと、信号チャネルとを具備するリバースリンク１０６を含む。
【００１２】
好ましくは、通信システム１００は直交周波数分割多重（ＯＦＤＭ）通信システムである。ＯＦＤＭは、通信セッションに割り当てられた周波数バンド幅を、複数の狭周波数サブバンドに分割する広帯域変調方式である。各サブバンドは無線周波数（ＲＦ）副搬送波を含み、各副搬送波は、他の各副搬送波に含まれるＲＦ副搬送波と数学的に直交する。副搬送波の直交性は、他の搬送波を妨害することなく、個々のスペクトルを重なり合わせる。しかし、当業者は、通信システム１００が、搬送波への情報の変調、続く変調信号の送信に直交変調方式を用いる符号分割多重アクセス（ＣＤＭＡ）通信システム、ＣＤＭＡ２０００通信システム、汎用パケット無線サービス（ＧＰＲＳ）通信システム、又は広帯域ＣＤＭＡ（ＷＣＤＭＡ）通信システムのような任意の無線通信システムに従って動作し得ることを理解している。ＣＤＭＡにおいて、副搬送波は周波数が異なるのではなく、符号ドメインが異なる。それらはＩＳ２０００においてウォルシュ（Walsh）符号と呼ばれ、ＵＭＴＳにおいては直交ベクトル拡散因子（ＯＶＳＦ）と呼ばれる。
【００１３】
図２は、通信システム１００の基本設計概念２００のブロック図である。通信システム１００の送信側において、ＢＴＳ１０２のような送信通信装置２０２はビット・ストリームを受信し、そのビット・ストリームを対応する符号ストリームに変換し、暗号化符号ストリームを生成すべく、符号ストリームを暗号化することによって物理レイヤで暗号化を提供し、エアインタフェース１０４のようなエアインタフェースを介して暗号化符号ストリームを送信する。通信システム１００の受信側において、ＭＳ１１０のような受信通信装置２５０は送信された暗号化符号ストリームを受信し、各受信データ符号に対応する送信ビット・ストリームのビットを回復すべく、受信符号を暗号解読することによって、物理レイヤで暗号解読を提供する。しかし、当業者は、ＢＴＳ１０２及びＭＳ１１０が、本発明の実施例に関する送信通信装置又は受信通信装置のいずれかとして各々動作可能なことを理解している。
【００１４】
各々の送信通信装置２０２及び受信通信装置２５０は、一つ以上のマイクロプロセッサ、マイクロコントローラ、デジタル信号処理装置（ＤＳＰ）、それらの組み合わせのような又は当業者にとって公知なその他のデバイスのような各々の信号処理ユニット２０４，２７０を含む。各々の送信通信装置２０２及び受信通信装置２５０は更に、信号処理ユニットによって実行し得るデータ及びプログラムを保持するランダム・アクセス・メモリ（ＲＡＭ）、ダイナミック・ランダム・アクセス・メモリ（ＤＲＡＭ）、及び／又は読出し専用メモリ（ＲＯＭ）又はそれらの等価物のような、各々の信号処理ユニットに関連した各々少なくとも一つの記憶装置２４０，１９０を含み、該データ及びプログラムは、信号処理ユニットを通信システム１００において動作させる。各々の送信通信装置２０２及び受信通信装置２５０は更に、当該分野において公知なように、二つの装置間で通信セッションのセットアップ中に送信及び受信通信装置によってやり取りされるセッション鍵を、それらの各々少なくとも一つの記憶装置２４０，２９０内に保持する。各々の送信通信装置２０２及び受信通信装置２５０は更に、ＭＳ１１０に独自に関連する携帯電話シリアル番号を、それらの各々少なくとも一つの記憶装置２４０，２９０内に保持し得る。当業者は承知しているように、本明細書において記載されるような信号処理ユニット２０４，２７０の様々な機能は、また、プログラマブル論理アレイ（ＰＬＡ）又は特定用途向け集積回路（ＡＳＩＣ）のようなハードウエア回路において実行し得る。
【００１５】
図３は、本発明の実施例に従う通信システム１００における送信通信装置２０２の動作を例示する論理フローチャート３００を示す。次に図２及び図３を参照すると、データソース（表示なし）が、好ましくはビットのようなバイナリ・フォーマットでデータ・ストリームを信号処理ユニット２０４に提供すると、論理のフロー３００が始まる（３０２）。データ・ストリームは、限定されないが、音声及び画像データを含むデジタルフォーマットで示せるほぼ全てのものを含み得る。信号処理ユニット２０４はデータをエンコーダ２０６に転送する（３０４）。エンコーダ２０６は誤り訂正符号、好ましくは前方誤り訂正符号（ＦＥＣ）をデータに適用する。例えば、エンコーダ２０６は、ビタビ（Viterbi）符号化アルゴリズムのような畳み込み符号を使用することによって、データを符号化し得るが、ブロック符号を使用してもよい。畳み込み符号及びブロック符号は当該分野において周知であり、より詳細には説明しない。用いられる誤り訂正符号の型は、本発明にとって重要ではなく、当業者は、本発明の趣旨及び範囲から外れることなくデータに適用し得る多くの型の誤り訂正符号を承知している。とにかく、エンコーダ２０６の出力は、好ましくはバイナリ・データ（ビット）フォーマットで示される情報を含む。エンコーダ２０６によって出力されたデータ・ストリームは、次に、符号マッパ２０８に提供される。
【００１６】
本発明の別の実施例において、入力データは、ユーザ・データ、パイロット・データ、及び同期化データのような複数のデータ型を含み、ユーザ・データだけが符号化され、一つ以上の他のデータ型、すなわち、パイロット・データ及び同期化データは符号化されない。このような実施例において、符号マッパ２０８は複数の符号マッパを含むことができ、ユーザ・データは、複数の符号マッパのうちの第一符号マッパに提供される前に符号化され、他のデータ型は、複数の符号マッパの各々他の符号マッパに各々直接伝送される。
【００１７】
符号マッパ２０８或いは符号マッパ２０８が複数の符号マッパを具備する場合、各々の複数符号マッパは、符号マッパによって受信されたビット・ストリームをＰビットのグループ（Ｐタプル）にグループ化し、符号ストリームを生成すべく、各Ｐタプルを、対応する符号にマッピングする（３０６）。この目的のため、Ｍ可能符号を含む信号コンステレーションは、多次元空間内好ましくは複合二次元（Ｉ，Ｑ）空間内に規定される。各符号は二次元空間内に点を具備し、点は二つの調整(scaled)基底ベクトル「Ｉ」及び「Ｑ」のベクトル和として示し得る。特定の点を規定すべく用いられる二つの基底ベクトルの各々の振幅は、点の二次元座標と考え得る。所望のマッピングを得るため、符号マッパ２０８は、エンコーダ２０４によって出力されたバイナリ値（ビット）を、Ｐタプルにアセンブルする。次に、各Ｐタプルを用いて、Ｍ可能符号から符号を選択する。この場合、Ｍ＝２Ｐである。一実施例において、ＢＰＳＫ又はＱＰＳＫのようなＭＰＳＫ変調方式が各Ｐタプルに適用されるが、当業者は、本発明の趣旨及び範囲から外れることなく使用し得る、他のＭＰＳＫ方式又は複数直交振幅変調（ＭＱＡＭ）方式のような、多くの種類の多次元符号マッピング方式が存在することを理解している。
【００１８】
通信システム２００は更に、バースト性チャネルのエラーを生み出す影響力を最小化するため、符号マッパ２０８によって生成された符号をインターリーバするインターリービング・ブロックを、送信側２０２に含む。本発明の一実施例において、ブロック・インターリービングを使用でき、符号ストリームは二次元マトリックスの行内に読み込まれ、列方向に読み取られることにより、符号ストリームにおいて任意の隣接する二つの符号が分離する。送信符号が受信され、逆インターリービング・ブロックによってデインターリーブされると、チャネルによって導入された如何なるエラー・バーストも分割されるので、エラーの影響を減らし、このようなエラーを補正する前進型エラー訂正符号の能力を増強する。
【００１９】
符号マッパ２０８は、符号ストリームを位相シフタ２１０に伝送する。位相シフタ２１０は次に、暗号化された位相シフト符号を生成すべく符号の位相をシフトすることによって、位相シフトによって受信された各符号を暗号化する（３０８）。信号処理ユニット２０４は、位相シフタ２１０に連結された符号語発生器２１２によって出力された符号語「θ」に基づいて、位相シフトを決定する。好ましくは、符号語は、通信セッションがセットアップされると送信側２０２及び受信側２５０によってやり取りされる一つ以上のセッション鍵及びＭＳ１１０に独自に関連する携帯電話シリアル番号から得られる。
【００２０】
送信通信装置２０２及び受信通信装置２５０間の通信セッションがセットアップされると、信号処理ユニット２０４は、セッション鍵、通常、一連のビット、又はセッション鍵、及び／又はハッシュ型タイム・スロット番号のような、タイム・スロット番号、又は携帯シリアル番号から得られた一連のビットを符号語発生器２１２内に入力することによって、符号語発生器２１２を初期化する。振幅位相調整器２１０内に入力された各符号に対応して、振幅位相調整器２１０は、符号語発生器２１２の出力のビットを読み取る。信号処理ユニット２０４は、次に、読み取りビットに基づいて位相シフトを決定する。
【００２１】
当該分野において公知なように、データはフレームとして公知なグループに分類して無線で送信される。通信セッションのセットアップ後、送信通信装置２０２が新フレームを開始するごとに、信号処理ユニット２０４は、符号語発生器２１２を再初期化するので、新フレームに埋め込むために暗号化された時間的に第一の符号は、再初期化符号語発生器に基づいて暗号化される。新フレームのヘッダは新フレーム・インジケータ（ＮＦＩ）を含み、これが新フレームであることを示し、ＮＦＩは、受信通信装置が同様にその符号語発生器を再初期化すべきことを受信通信装置２５０に示す。従って、同期化は、送信及び受信通信装置２０２，２５０の各々の符号語発生器２１２，２８０間で保持される。
【００２２】
位相シフタ２１０は、暗号化された位相シフト符号のストリームを直交変調器２１４に伝送する。符号マッパ２０８が、複数のデータ型のうちのデータ型を符号のコンステレーションに各々がマッピングする複数の符号マッパを具備するとき、ユーザ・データに基づいて符号ストリームを生成する符号マッパだけが、生成された符号ストリームを位相シフタ２１０に伝送する。位相シフタ２１０は次に、ユーザ・データに関連する各符号の位相をシフトすることによって、直交変調器２１４に伝送される暗号化されたすなわち位相シフトされた符号のストリームを生成する。非ユーザ・データに関連する符号ストリームを生成する他の各符号マッパは、位相シフタ２１０を迂回し、非暗号化すなわち非シフト符号ストリームを、直交変調器２１４に直接伝送する。
【００２３】
直交変調器２１４は、ＯＦＤＭ通信システムにおける複数の周波数サブバンドのうちの一つ或いはＣＤＭＡ通信システムにおける直交符号又はＯＶＳＦのような直交副搬送波によって、直交変調器によって受信された各符号を変調する。本発明の一実施例すなわちＯＦＤＭ実施例において、直交変調器２１４は、変成器２１８に連結された直列／並列（Ｓ／Ｐ）変換器２１６を具備し、変成器は更に、並列／直列（Ｐ／Ｓ）変換器２２０に連結される。各符号の受信に応じて、直交変調器２１４は受信符号をＳ／Ｐ変換器２１６に転送する。Ｓ／Ｐ変換器２１６は、各符号を、複数（「Ｎ」）の直交副搬送波すなわち周波数サブバンドの一つに割り当て（３１０）、実際には位相シフタ２１０から受信した符号ストリームを直列から並列型に変換し、Ｎ並列符号を生成する。Ｎは、通信セッションに割り付けられた周波数バンド幅に含まれる副搬送波数である。Ｓ／Ｐ変換器２１６は次に、Ｎ並列符号を変成器２１８に適用する。直交変調器２１４によって受信された符号が、ユーザ・データ、パイロット・データ、及び同期化データのような複数のデータ型に関連する場合、Ｓ／Ｐ変換器２１６は、同じデータ型に関連した各符号を、同じ組の一つ以上の直交副搬送波由来の直交副搬送波に割り当てる。すなわち、ユーザ・データに関連した符号は、第一組の直交副搬送波由来の一つ以上の直交副搬送波に割り当てることができ、パイロット・データに関連した符号は、第二組の直交副搬送波由来の一つ以上の直交副搬送波に割り当てることができ、同期化データに関連した符号は、第三組の直交副搬送波由来の一つ以上の直交副搬送波に割り当て得る。
【００２４】
変成器２１８は、符号が周波数サブバンドすなわち周波数ドメイン副搬送波に割り当てられるＮ並列符号のうちの各符号を、タイム・ドメイン信号すなわちタイム・ドメイン副搬送波に変換し（３１２）、それによって、複数（Ｎ）の変調直交タイム・ドメイン副搬送を生成する。各副搬送波は、周波数バンドに含まれるサブバンドに対応する。複数の直交周波数サブバンドｆｎ（ｔ），ｎ＝０，1,．．．，Ｎ−１は、ｔ∈ ［０，Ｔｔｏｔａｌ］でｅｊ２Π（Ｗ／Ｎ）ｎｔ型のシヌソイド又は複素指数と考えられる。Ｗは利用可能な周波数バンド幅であり、Ｗ／Ｎは副搬送波間の周波数間隔を表示する。
【００２５】
ＯＦＤＭにおいて公知なように、変成器２１８の機能性は逆高速フーリエ変換（ＩＦＦＴ）又は離散逆フーリエ変換（ＩＤＦＴ）によって実行し得る。Ｎ並列符号は入力としてＩＦＦＴに提供され、ＩＦＦＴは、周波数ｆｎのＮ並列タイム・ドメイン副搬送波を出力する。Ｎ並列副搬送波の各副搬送波は、Ｎ並列入力符号の対応する入力符号によって変調される。ＩＦＦＴ出力を構成する変調タイム・ドメイン副搬送波は次に、Ｐ／Ｓ変換器２２０に伝送される。
【００２６】
本発明の別の実施例において、位相シフタ２１０は、Ｓ／Ｐ変換器に先行する代わりに、Ｓ／Ｐ変換器２１６及び変成器２１８の間に置かれた位相シフタ・モジュールを具備し得る。このような実施例において、位相シフタ２１０は、複数の位相シフタ、ＰＳ１〜ＰＳＮを具備し得る。複数位相シフタのうちの各位相シフタは、Ｓ／Ｐ変換器によって出力された複数（「Ｎ」）の並列符号のうちの符号に関連し、該符号をＳ／Ｐ変換器２１６から受信する。複数の位相シフタＰＳ１〜ＰＳＮのうちの各位相シフタは更に、複数（［Ｎ］）の周波数サブバンドのうちの対応する一つに関連する。複数の位相シフタＰＳ１〜ＰＳＮによって受信された各組の「Ｎ」並列符号に連動して、このような各位相シフタは、複数位相シフタＰＳ１〜ＰＳＮのうちの他の位相シフタに提供された符号語と異なる、符号語発生器２１２によって生成された符号語θを受信する。受信符号及び符号語に応じて、複数位相シフタＰＳ１〜ＰＳＮのうちの各位相シフタは、暗号化された位相シフト符号を生成すべく、符号の位相をシフトさせることによって符号を暗号化する。位相シフトは符号語に基づく。各位相シフタＰＳ１〜ＰＳＮは次に、位相シフト符号を、対応する周波数サブバンドすなわち周波数ドメイン副搬送波から対応するタイム・ドメイン信号すなわちタイム・ドメイン副搬送波に変換すべく、変成器２１８に適用する。
【００２７】
本発明の実施例において、符号マッパ２０８は、異なるデータ型を符号のコンステレーションに各々がマッピングする複数の符号マッパを具備し、Ｓ／Ｐ変換器２１６によって出力された、ユーザ・データに関連する割り当て符号だけが、複数位相シフタＰＳ１〜ＰＳＮのうちの一つに伝送される。他の割り当て符号は位相シフタ２１０を迂回し、Ｓ／Ｐ変換器２１６によって変成器２１８に直接伝送される。複数の位相シフタＰＳ１〜ＰＳＮの各位相シフタは、ユーザ・データに関連する割り当て符号を受信し、該符号の位相をシフトすることによって、変成器２１８に伝送される位相シフト符号を生成する。変成器２１８は次に、位相シフタＰＳ１〜ＰＳＮから受信された各位相シフト符号を、対応する周波数サブバンドすなわち周波数ドメイン副搬送波から、対応するタイム・ドメイン信号すなわちタイム・ドメイン副搬送波に変換することによって、ユーザ・データに関連した変調タイム・ドメイン副搬送波を生成する。変成器２１８は更に、Ｓ／Ｐ変換器２１６から直接受信された各非位相シフト符号を、対応する周波数サブバンドすなわち周波数ドメイン副搬送波から、対応するタイム・ドメイン信号すなわちタイム・ドメイン副搬送波に変換することによって、非ユーザ・データに関連した変調タイム・ドメイン副搬送波を生成する。複数の位相シフト及び非位相シフト符号の変換から生じる変調タイム・ドメイン副搬送波は次に、Ｐ／Ｓ変換器２２０に伝送される。
【００２８】
Ｐ／Ｓ変換器２２０好ましくはマルチプレクサは、第一出力信号を生成すべく、変成器２１８から受信されたタイム・ドメイン副搬送波を、並列型から直列型に変換する（３１４）。Ｐ／Ｓ変換器２２０は、保護周波数バンド間隔又はサイクリック・プリフィックスを第一出力信号に付加する（３１８）サイクリック・プリフィックス（Ｃ／Ｐ）加算器２２２に、第一出力信号を伝送することによって、第二出力信号を生成する。通常、サイクリック・プリフィックスを付加することは、それ自体へのプリフィックスとして、各ＯＦＤＭ符号のうちの最後のＴｇ秒を付加することを具備する。Ｔｇの前割り当て長は、１６ｔａｐｓ、又は０．８μｓが好ましいが、当業者は、設計者が長いプリフィックスの非効率にもかかわらず、長いサイクリック・プリフィックスによって生じる、より大きな保護性を評価するので、サイクリック・プリフィックスの前割り当て長は、システムの設計者次第であることを理解している。Ｃ／Ｐ加算器２２２は、信号処理ユニット２０４に連結される送信側２０２の送信機部分２３０に、第二出力信号を伝送する。送信機部分２３０は、増幅器２３４に連結された変調器２３２を含む。送信機部分２３０は、第二出力信号を変調器２３２に転送する。変調器２３２は、アップコンバート信号を生成すべく、第二出力信号をベースバンド周波数から送信周波数にアップコンバートする（３２０）。アップコンバート信号は、増幅信号を生成すべく、信号を増幅する（３２２）電力増幅器（ＰＡ）２３４に伝送され、該電力増幅器は、増幅信号をアンテナ２３６及びエアインタフェース１０４を介して送信する（３２４）。論理のフロー３００は、その後、終了する（３２６）。
【００２９】
本発明の別の実施例すなわちＣＤＭＡ実施例において、直交変調器２１４は、Ｓ／Ｐ変換器の代わりに、少なくとも一つの拡散器と、変成器と、Ｐ／Ｓ変換器とを具備し得る。このような実施例において、少なくとも一つの拡散器は、第一出力信号すなわち変調すなわち拡散符号のストリームを生成すべく、直交拡散符号すなわちＣＤＭＡ副搬送波によって位相シフタ２１０から受信された位相シフト符号を拡散する（３１６）。例えば、直交変調器２１４は複数の直列拡散器を具備でき、複数の拡散器のうちの一つの拡散器は、長符号によって各符号を拡散し、複数の拡散器のうちの別の拡散器は、ウォルシュ符号又はＯＶＳＦによって符号を拡散する。直交変調器２１４に伝送された符号が、複数のデータ型に関連した符号を具備するとき、直交変調器は、変調副搬送波を生成すべく、対応するデータ型に割り当てられた直交拡散符号によって各受信符号を拡散する。拡散符号は次に、送信機部分２３０に伝送される。すなわちユーザ・データに関連する符号は、第一の一つ以上の直交副搬送波すなわち拡散符号によって拡散でき、パイロット・データに関連する符号は、第二の一つ以上の直交副搬送波によって拡散でき、同期化データに関連する符号は、第三の一つ以上の直交副搬送波によって拡散し得る。ＣＤＭＡ実施例において、信号処理ユニット２０４は、直交変調器２１４及び送信機部分２３０の間に置かれたＣ／Ｐ加算器２２２を、含んでも含まなくてもよい。Ｃ／Ｐ加算器は、直交変調器によって出力された拡散符号のストリームに、プリフィックスを加算し得る。
【００３０】
次に図４及び図５を参照すると、符号語発生器２１２の動作が本発明の実施例に従って例示される。図４は、本発明の実施例に従う符号語発生器２１２のブロック図である。図５は、符号語発生器２１２が、本発明の実施例に従って位相シフタによって受信された符号の位相をシフトすべく、位相シフタ２１０によって使用される符号語「θ」を生成する方法を例示する論理フローチャート５００である。
【００３１】
符号語発生器２１２の円形バッファ４１４に、符号語「θ」を生成すべく使用されるビット列がロードされると（５０４）、論理フローチャート５００が開始する（５０２）。通信セッションがセットアップされると、円形バッファ５１４に最初にロードされ、送信通信装置２０２が新フレームを開始するごとに、リロードされる。すなわち当該分野において公知なように、データはフレームで送信される。新フレームが信号処理ユニット２０４によってアセンブルされるごとに、信号処理ユニットは、円形バッファ４１４を再初期化するので、新フレームに組み込むべく暗号化された時間的に第一の符号が、再初期化円形バッファに基づいて暗号化される。新フレームのヘッダは、これが新フレームであると示す新フレーム・インジケータ（ＮＦＩ）を含み、ＮＦＩは、受信通信装置が同様に、その円形バッファを再初期化すべきことを受信通信装置２５０に示す。従って同期化は、送信及び受信通信装置２０２，２５０の符号語発生器間で保持される。
【００３２】
好ましくは、円形バッファ４１４に、以下のようにビット列がロードされる。信号処理ユニット２０４は、第一暗号化鍵４０２を提供し、結合器４１０は、第一暗号化鍵４０２を受信する。第一暗号化鍵４０２は、セッション鍵から得られる１６ビット鍵のような、通話期間に対して又は単一パケット・バーストに対してのみ有効な動的１６ビット鍵であることが好ましい。前記セッション鍵は、通信セッションのセットアップ中に、送信通信装置２０２及び受信通信装置２５０によってやり取りされ、少なくとも一つの記憶装置２４０内に保持される。本発明の一実施例において、第一暗号化鍵４０２は、ミキサ４０６を介して結合器４１０に伝送でき、第一暗号化鍵は、第一拡散符号４０４によって拡散され、該第一暗号化鍵は、各々の送信通信装置２０２及び受信通信装置２５０の少なくとも一つの各記憶装置２４０，２９０内に保持される。本発明の別の実施例において、第一暗号化鍵４０２は、結合器４１０に直接伝送され得る。
【００３３】
信号処理ユニット２０４は更に、第二暗号化鍵４０８を提供し、結合器４１０は第二暗号化鍵４０８を受信する。第二暗号化鍵４０８は、ＭＳと独自に関連する携帯電話シリアル番号例えば電子シリアル番号（ＥＳＮ）のような、ＭＳ１１０に特有の静的な４８ビット鍵であることが好ましく、送信通信装置２０２の少なくとも一つの記憶装置２４０内に保持される。
【００３４】
結合器４１０は、受信第一暗号化鍵４０２及び受信第二暗号化鍵４０８を結合することによって、円形バッファ４１４内に入力すべき第一符号語４１２を生成する。符号語４１２は６４ビット長が好ましく、１６最上位ビットは第一暗号化鍵４０２から得られ、残る４８ビットは第二暗号化鍵４０８から得られる。しかし、当業者は、第一暗号化鍵４０２及び第二暗号化鍵４０８を結合すべく用いられるアルゴリズムが本発明にとって重要ではないことと、本発明の趣旨及び範囲から外れることなく、第一暗号化鍵及び第二暗号化鍵を結合すべく、様々なアルゴリズムの何れかを結合器４１０によって使用し得ることを理解している。結合器４１０は更に、所望の長さすなわち円形バッファ４１４に適した長さの符号語を生成するため、一つ以上の第一暗号化鍵４０２、第二暗号化鍵４０８又は第一暗号化鍵及び第二暗号化鍵の組み合わせを連結する連結機能を具備する。本発明の別の実施例において、符号語４１２は、第一暗号化鍵４０２又は第二暗号化鍵４０４のうちの一つだけから得られ、鍵は、円形バッファ４１４に直接提供され得るか又は連結機能及び拡散器、又は乗算器のうちの一つ以上を介して円形バッファに提供され得る。
【００３５】
円形バッファ４１４は、第一符号語４１２を円形直列データに変換する。好ましくは、円形バッファ４１４は、最初に直列化された最上位ビット（ＭＳＢ）及び最後に直列化された最下位ビット（ＬＳＢ）を備えたシフト・レフト・レジスタである。ＭＳＢがバッファ４１４から読み取られるごとに、バッファは一つの位置だけ左にシフトされ、ＭＳＢは、ＬＳＢとしてバッファ内にバックロードされる。結果として、バッファ内に保存された符号語が、最初に保存された符号語のＬＳＢに達すると、配列は、再度、最初に保存された符号語のＭＳＢを続けることになる。
【００３６】
直列配列は次に、円形バッファ４１４から読み取られ（５０６）、バッファに連結された符号語拡張器４１６に転送される。符号語拡張器４１６は、円形バッファ４１４内に保存された６４ビット符号語から１２８ビットの第二長符号語４１８を生成すべく、円形バッファ４１４から読み出された直列配列を拡張する（５０８）。好ましくは、符号語拡張器４１６は、当該分野において公知な率１／２（one-half）の畳み込みエンコーダであり、ＩＥＥＥ８０２．１６規格の８．２．１．２．１．３項に規定される。率１／２の畳み込みエンコーダは、バッファ４１４から読み出された直列配列に冗長量を加えることによって、円形バッファ４１４内に保存された６４ビット符号語から、１２８ビットの第二符号語４１８を生成する。
【００３７】
符号語拡張器４１６は、第二符号語４１８を排他的ＯＲ（ＸＯＲ）ゲート４２２に伝送する。しかし、本発明の別の実施例において、バッファ４１４から読み出される直列配列が、拡張を必要としないサイズになり得る場合、符号語発生器は符号語拡張器４１６を含まなくてもよい。このような実施例において、円形バッファ４１４から読み出された直列配列は、排他的ＯＲ（ＸＯＲ）ゲート４２２に直接転送され得る。符号語４１８の受信に加えて、ＸＯＲゲート４２２は更に、ランダム又は擬似雑音（ＰＮ）配列４２０を受信する。ＸＯＲゲート４２２は、第三符号語４２４を生成すべく、配列４２０によって符号語４１８をＸＯＲする（５１０）。符号語４１８を配列４２０によってＸＯＲすることによって、位相シフタ２１０に符号語発生器２１２によって提供された符号語「θ」は、更にランダム化され、それによって位相シフタによって導入された位相シフトを更に検出し難くする。配列４２０は、ＩＥＥＥ８０２．１６規格の８．３．３．４．２項又は８．４．９．４．１項によって規定されるパイロット配列のような、パイロット信号を拡散すべく使用されるパイロット配列であることが好ましい。このようなパイロット配列は通常、優れたランダム配列の特性を具備する。しかし、当業者は、ランダム又はＰＮ配列は何れも本明細書において使用し得ることを理解している。
【００３８】
ＸＯＲゲート４２２は、符号語を緩衝する（５１２）直列／並列（Ｓ／Ｐ）バッファ４２６に第三符号語４２４を伝送する。信号処理ユニット２０４は次に、Ｓ／Ｐバッファ４２６から符号語を読み取り（５１４）、読み取り符号語４３０を乗算器４３４に転送する。バッファ４２６から符号語を読み取るごとに連動して、乗算器は更に、複数の副搬送波インデックスのうちの副搬送波インデックス４３２を受信し、複数の副搬送波インデックスのうちの各副搬送波インデックスは、複数（「Ｎ」）の副搬送波のうちの副搬送波に対応する。乗算器４３４は次に、バッファ４２６から読み出した各符号語４３０を、副搬送波インデックス４３２と乗算することによって、複数（「Ｎ」）の副搬送波のうちの副搬送波に関連する符号語４３６を生成する。乗算器４３４によって受信された各符号語を、異なる副搬送波インデックス値と乗算することによって、符号語発生器２１２は、「Ｎ」並列符号のうちの各符号に、「Ｎ」並列符号のうちの他の符号に導入された位相シフトと異なる位相シフトを導入することができる。前記副搬送波インデックスは、符号語に基づいて位相シフトされ得る符号に割り当てされる副搬送波に関連する。これによって傍受通信装置は、暗号化符号をより暗号解読し難くなる。
【００３９】
例えば、位相シフタ２１０が、Ｓ／Ｐ変換器２１６及び変成器２１８の間に置かれる位相シフタ・モジュールを具備する場合、乗算器４３４は、Ｓ／Ｐバッファ４２６によって出力された第一符号語を、第一副搬送波インデックス４３２と乗算し得る。得られた符号語は次に、複数の位相シフタＰＳ１〜ＰＳＮのうちの第一位相シフタＰＳ１に伝送される。乗算器４３４は次に、再度、Ｓ／Ｐバッファ４２６によって出力された同じ符号語を、第二副搬送波インデックス４３２と乗算でき、得られた符号語を複数の位相シフタＰＳ１〜ＰＳＮのうちの第二位相シフタＰＳ２（表示なし）などに伝送し得る。従って各位相シフタＰＳ１〜ＰＳＮに伝送された各符号語は、他の位相シフタに伝送された符号語と異なる。しかし、本発明の別の実施例において及び符号語発生器２１２の複雑さを減らすため、乗算器４３４は、符号語発生器内に含めなくてもよく、バッファ４２６から読み出された符号語４３０は、対応する副搬送波インデックス値と乗算しなくてもよい。
【００４０】
乗算器４３４は次に、各符号語４３６をトランケーション機能４３８に伝送する。トランケーション機能４３８は、トランケート符号語を生成すべく、各符号語４３６をトランケートする（５１８）。トランケート符号語は、位相シフタ２１０に提供された符号語「θ」である。符号語「θ」の長さは、通信システム１００の設計者次第であり、位相シフタ２１０によって導入された位相シフトについて、通信システム１００の設計者が望む粒度の水準に適した長さにすべきである。好ましくは、符号語「θ」はエイト（８）ビットであるが、当業者は「θ」が任意の長さであり得ることを理解している。本発明の別の実施例において、Ｓ／Ｐバッファ４２６から読み出されたか、又は乗算器４３４によって生成された各符号語４３０の長さは、符号語「θ」にとって適当な長さであり得る。このような実施例において、符号語発生器２１２は、符号語「θ」を生成すべく、符号語をトランケートする必要がなくなり得るので、トランケーション機能４３８を含まなくてもよい。論理フローチャート５００は、その後、終了する（５２０）。
【００４１】
位相シフタ２１０は次に、符号語「θ」を用いることによって、符号マッパ２０８から位相シフタによって受信された符号に位相シフトを適用する。次に、図６及び図７を参照すると、位相シフタ２１０のような位相シフタ６００或いは位相シフタ２１０が複数の位相シフタＰＳ１〜ＰＳＮを具備する場合、複数の位相シフタＰＳ１〜ＰＳＮのうちの各位相シフタの動作が、本発明の実施例に従って例示される。図６は、本発明の実施例に従う位相シフタ６００のブロック図である。図７は、本発明の実施例に従う位相シフタによって受信された符号において、位相シフトを実行すべく、位相シフタによってやり取りされる方法を例示する論理フローチャート７００である。
【００４２】
位相シフタ６００が、符号語発生器２１２から符号語「θ」を受信すると（７０４）、論理フローチャート７００が開始する（７０２）。位相シフタ６００は、受信符号語を正弦余弦関数発生器６０２に転送する。受信符号語に基づいて、正弦余弦関数発生器６０２は、正弦関数「ｓｉｎα」に対応する第一値及び余弦関数「ｃｏｓα」に対応する第二値を生成する。「α」は、符号語発生器２１２から受信した符号語「θ」に対応する角度である。例えば、「θ」が「ｎ」ビット符号語のとき、α＝Ｃｘ（３６０°／２ｎ）で、Ｃは符号語「θ」によって示される値に対応する。例えば、「θ」がエイト（８）ビットとする。更に、符号語発生器２１２によって、位相シフタ２１０に供給された符号語「θ」は、「１０００１００１」とする。この符号語は１３７の値に対応し、αは、その結果「１３７×（３６０°／２５６）」又は約１９２°に等しい。正弦余弦関数発生器６０２は次に、１９２°の正弦に対応する第一値を生成し、１９２°の余弦に対応する第二値を生成する。好ましくは、正弦余弦関数発生器６０２は、少なくとも一つの記憶装置２４０によって保持される検索表を参照することによって、「ｓｉｎα」及び「ｃｏｓα」に対応する値を生成する。正弦余弦関数発生器６０２は次に、第一及び第二値すなわち「ｓｉｎα」及び「ｃｏｓα」を直交暗号器６０４に転送する。
【００４３】
直交暗号器６０４は、第一及び第二値すなわち「ｓｉｎα」及び「ｃｏｓα」を正弦余弦関数発生器６０２から受信する。直交暗号器６０４は更に、符号マッパ２０８によって生成された符号（Ｉｉｎ，Ｑｉｎ）を受信する（７０８）。直交暗号器６０４は次に、暗号化された位相シフト符号（Ｉｏｕｔ，Ｑｏｕｔ）を生成すべく、正弦余弦関数発生器６０２から受信された「ｓｉｎα」及び「ｃｏｓα」に基づいて、符号の位相をシフトする（７１０）。より具体的には、直交暗号器６０４は、少なくとも一つの記憶装置２４０内に保持される以下の方程式を実行することによって、位相シフト符号（Ｉｏｕｔ，Ｑｏｕｔ）を生成する：
Ｉｏｕｔ＝（Ｉｉｎ×ｃｏｓα）−（Ｑｉｎ×ｓｉｎα）、
Ｑｏｕｔ＝（Ｉｉｎ×ｓｉｎα）＋（Ｑｉｎ×ｃｏｓα）。
位相シフト符号（Ｉｏｕｔ，Ｑｏｕｔ）は次に、直交変調器２１４のような直交変調器或いは変成器２１８のような変成器のいずれか適当な方に、位相シフタ６００によって伝送され、論理フローチャート７００は、その後、終了する（７１２）。
【００４４】
通信システム１００の受信側２５０は、送信側２０２に対して逆の機能を実行する。次に、図８を参照すると、本発明の実施例に従う受信側２５０の動作を例示する論理フローチャート８００が示される。アンテナ２５２を介して受信された信号が、受信機部分２６０に転送されると、論理のフロー８００は開始する（８０２）。低雑音増幅器（ＬＮＡ）２６２は受信信号を増幅する（８０４）。ＬＮＡ２６２は次に、増幅信号を復調器２６４に転送し、該復調器は増幅信号を送信周波数からベースバンド周波数にダウンコンバートする（８０６）。ベースバンド信号は次に、受信側信号処理ユニット２７０に伝送される。
【００４５】
信号処理ユニット２７０は、ベースバンド信号をサイクリック・プリフィックス（Ｃ／Ｐ)除去器２７２に転送し、該除去器は信号に付加されたサイクリック・プリフィックスを除去する（８０８）。Ｃ／Ｐ除去器２７２は、サイクリック・プリフィックスのない信号を直交復調器２７４に伝送する。対応する送信側２０２がＣ／Ｐ加算器を含まない場合、信号処理ユニット２７０は、ベースバンド信号を直交復調器２７４に直接転送し得る。直交復調器２７４は、直交変調器２１４によって行われた機能と逆の機能を実行する。本発明の一実施例すなわちＯＦＤＭ実施例において、直交復調器２７４は、逆変成器２７８に連結されたＳ／Ｐ変換器２７６を具備する。逆変成器は更に、Ｐ／Ｓ変換器２８０に連結される。このような実施例において、直交復調器２７４はサイクリック・プリフィックスのない信号を、Ｓ／Ｐ変換器２７６に転送する。Ｓ／Ｐ変換器２７６は、ダウンコンバートされたプリフィックスのない信号を直列から並列型に変換し（８１０）、Ｎ並列変調副搬送波を出力する。Ｎ並列変調副搬送波は、離散型フーリエ変換（ＤＦＴ）又は高速フーリエ変換（ＦＦＴ）のような逆変成器２７８に伝送され、該逆変成器は、変成器２１８において使用されたＮ直交関数のうちの対応する直交関数に基づいて、タイム・ドメインから周波数ドメインに、Ｎ並列変調副搬送波のうちの各副搬送波を変換する（８１２）。すなわち逆変成器２７８は、符号のタイム・ドメイン副搬送波に関連する周波数ドメイン・サブバンド又は副搬送波に各暗号化符号を変換することによって、複数の暗号化符号を生成する。逆変成器２７８の出力は、「Ｎ」変調副搬送波に基づく「Ｎ」並列暗号化符号を含み、「Ｎ」並列暗号化符号のうちの各符号は、送信側２０２で使用されたコンステレーションの「Ｍ」可能符号から選ばれる。
【００４６】
変成器２７８は「Ｎ」並列暗号化符号をＰ／Ｓ変換器２８０に伝送する。Ｐ／Ｓ変換器２８０は、暗号化符号のストリームを生成すべく、「Ｎ」並列暗号化符号を並列型から直列型に変換し（８１４）、符号ストリームを位相シフタ２８２に伝送する。位相シフタ２８２は、位相シフタ２１０によって符号に加算された位相シフトの代償として、暗号化符号の位相をシフトすることによって、符号ストリーム内の各暗号化符号を暗号解読する（８１８）。それによって、複数の暗号解読符号を生成する。位相シフタ２８２は次に、各暗号解読符号を逆符号マッパ２８６に伝送する。
【００４７】
本発明の別の実施例において、送信データは、ユーザ・データ、パイロット・データ、及び同期化データのような複数のデータ型を含み、ユーザ・データだけが送信側位相シフタによって暗号化され、次に、ユーザ・データに関連する符号だけが、直交復調器によって位相シフタ２８２に伝送される。位相シフタ２８２は、逆符号マッパ２８６に伝送される暗号解読符号のストリームを生成すべく、位相シフタ２１０によって符号に加算された位相シフトの代償として、暗号化符号の位相をシフトすることによって、各暗号化符号すなわちユーザ・データに関連する符号を暗号解読する。非ユーザ・データ型に関連する符号は、送信側によって暗号化されないので非暗号化フォーマットであり、すなわちＰ／Ｓ変換器２８０によって出力されるとき、非暗号化符号のストリームを具備する。非暗号化符号は次に、同期化及びパイロット補間のいずれか適当な目的に使用でき、逆符号マッパ２８６に伝送されることなく、廃棄され得る。
【００４８】
位相シフタ２８２は、位相シフタ２１０において位相シフトを決定すべく用いられる符号語と同じ符号語に基づいて、各暗号化符号の位相シフトを実行する。前記符号語は、位相シフタ２８２に連結された符号語発生器２８４によって生成される。例えば、本発明の一実施例において、位相シフタ２８２は、位相シフタ２１０によって符号に加算された位相シフトに等しい位相を、符号の位相から減算し得る。本発明の別の実施例において、位相シフタ２８２は、複素面を中心に符号を３６０°完全に回転させ得る位相を符号に加算でき、すなわち「３６０°−陬にほぼ等しい位相シフトを適用し得る。例えば、位相シフタ２１０が１９２°の位相シフトを符号に適用したなら、位相シフタ２８２は、約「３６０°−１９２°」又は１６８°の位相シフトを符号に適用し得る。
【００４９】
符号語発生器２８４は、符号語発生器２１２によって出力された符号語に同期化された符号語を出力する。送信通信装置２０２及び受信通信装置２７０間に通信セッションがまずセットアップされると、信号処理ユニット２７４は、セッション鍵、又はセッション鍵から得た一連のビット、及び／又は携帯電話シリアル番号又は携帯電話のシリアル番号から得た一連のビットを符号語発生器に入力することによって、符号語発生器２８４を初期化する。通信セッションのセットアップ後、受信通信装置２７０が新フレームを受信するごとに、信号処理ユニット２７４は、符号語発生器２８４を再初期化するので、新フレームから暗号解読された時間的に第一の符号は、再初期化符号語発生器に基づいて暗号解読される。
【００５０】
本発明の別の実施例において、位相シフタ２８２は、Ｐ／Ｓ変換器の後に続く代わりに、逆変成器２７８及びＰ／Ｓ変換器２８０の間に置かれる位相シフタ・モジュールを具備し得る。このような実施例において、位相シフタ２１０に類似した位相シフタ２８２は、複数の位相シフタＰＳ１〜ＰＳＮを具備でき、複数の位相シフタのうちの各位相シフタは、逆変成器によって出力された複数（［Ｎ］）の並列符号のうちの暗号化符号に関連し、前記暗号化符号を逆変成器２７８から受信する。複数の位相シフタＰＳ１〜ＰＳＮのうちの各位相シフタは更に、複数（「Ｎ」）副搬送波のうちの対応する一つに関連する。複数の位相シフタＰＳ１〜ＰＳＮによって受信された各組の「Ｎ」並列符号に連動して、各位相シフタＰＳ１〜ＰＳＮは、他の位相シフタＰＳ１〜ＰＳＮに提供された符号語と異なる、符合語発生器２８４によって生成された符号語「θ」を受信する。符号及び符号語の受信に応じて、各位相シフタＰＳ１〜ＰＳＮは、暗号解読符号を生成すべく、符号語に基づいて符号の位相をシフトすることによって、符号を暗号解読する。各位相シフタＰＳ１〜ＰＳＮは次に、並列型から直列型に変換すべく、暗号解読符号をＰ／Ｓ変換器２８０に適用する。
【００５１】
送信データがユーザ・データ、パイロット・データ、及び同期化データのような複数のデータ型を含む場合、暗号化符号すなわちユーザ・データに関連する符号で、送信側によって位相シフトされる符号だけが、逆変成器２７８によって、対応する位相シフタＰＳ１〜ＰＳＮを介してＰ／Ｓ変換器２８０に伝送される。非暗号化符号すなわち例えばパイロット・データ及び同期化データの一つ以上の他のデータ型に関連する符号で、送信側によって位相シフトされない符号は、逆変成器２７８によってＰ／Ｓ変換器２８０に直接伝送される。すなわち、送信データがユーザ・データに関連する複数の暗号化符号及びパイロット・データ又は同期化データのような非ユーザ・データに関連する複数の非暗号化符号を含む場合、Ｓ／Ｐ変換器２７６は、ダウンコンバート信号を複数のタイム・ドメイン副搬送波に割り当てる。複数のタイム・ドメイン副搬送波のうちの一つ以上のタイム・ドメイン副搬送波は、ユーザ・データに関連し、複数のタイム・ドメイン副搬送波のうちの一つ以上のタイム・ドメイン副搬送波は、パイロット・データに関連する。逆変成器２７８は次に、ユーザ・データに関連する各タイム・ドメイン副搬送波を、周波数ドメイン副搬送波に変換することによって、複数の暗号化符号を生成し、更に非ユーザ・データに関連する各タイム・ドメイン副搬送波を、周波数副搬送波に変換することによって、複数の非暗号化符号を生成する。逆変成器２７８は次に、暗号化符号を位相シフタ・モジュール２８２、より具体的には位相シフタＰＳ１〜ＰＳＮに伝送し、非暗号化符号をＰ／Ｓ変換器２８０に伝送する。各位相シフタＰＳ１〜ＰＳＮは、暗号解読符号を生成すべく、符号語に基づいて符号の位相をシフトすることによって、受信暗号化符号を暗号解読し、暗号解読符号をＰ／Ｓ変換器２８０に伝送する。Ｐ／Ｓ変換器２８０は次に、位相シフタ・モジュール２８２から受信された暗号解読符号及び逆変成器２７８から受信された非暗号化符号を、並列フォーマットから直列フォーマットに変換する。
【００５２】
本発明の更に別の実施例すなわちＣＤＭＡ実施例において、直交復調器２７４は、Ｓ／Ｐ変換器に代わって、少なくとも一つの逆拡散器(despreader)と、逆変成器と、Ｐ／Ｓ変換器とを具備し得る。このような実施例において、少なくとも一つの逆拡散器は、直交変調器２１４によって使用された直交拡散符号に対応する直交拡散符号すなわちＣＤＭＡ副搬送波を適用することによって受信された暗号化符号を逆拡散することによって（８１６）、受信信号を復調し、復調すなわち逆拡散暗号化符号のストリームを生成する。例えば、直交復調器２７４は、複数の直列逆拡散器を具備でき、複数の逆拡散器のうちの一つの逆拡散器は、長符号によって各符号を逆拡散し、複数の逆拡散器のうちの別の逆拡散器は、ウォルシュ符号又はＯＶＳＦによって符号を拡散する。更に、本発明のＣＤＭＡ実施例において、信号処理ユニット２７４は、Ｃ／Ｐ除去器２７２を含んでも含まなくてもよい。ＣＤＭＡ実施例において、直交復調器２７４は次に、逆拡散された各暗号化符号を位相シフタ２８２に伝送する。上述するように、位相シフタ２８２は次に、位相シフタ２１０によって符号に加算された位相シフトの代償として、符号の位相をシフトすることによって、各脱拡散暗号化符号を暗号解読する（８１８）。それによって複数の暗号解読符号を生成する。
【００５３】
逆符号マッパ２８６は、符号マッパ２０８によって用いられた符号マッピング方式に基づいて、各暗号解読符号に対応するＰタプルを回復することによって、ビット・ストリームを生成する。すなわち、逆符号マッパ２８６は、符号マッパ２０８によって用いられたコンステレーション内の対応する点に各符号をマッピングし、それによって該点に対応するＰタプルを回復する。逆符号マッパ２８６は次に、回復されたビット・ストリームをデコーダ２８８に伝送する。デコーダ２８８は、エンコーダ２０６によって適用された誤訂正符号に基づいて、ビット・ストリームを復号化し（８２２）、復号化ビット・ストリームをデータ・シンク（表示なし）に伝送し、論理のフロー８００は、その後、終了する（８２４）。
【００５４】
送信及び受信通信装置に公知な情報に基づいて、送信すべき符号の位相をシフトすることによって、通信システム１００は、通信の不都合な傍受機による暗号解読に対して、エアインタフェースをより安全にする物理レイヤで暗号化を提供する。本発明の一実施例において、送信通信装置内に含まれる符号マッパは、受信ビット・ストリーム及び符号マッピング方式に基づいて複数の符号を生成する。送信通信装置内に含まれる位相シフタは次に、符号語に基づいて各符号の位相をシフトすることによって、暗号化符号を生成する。符号語は、送信及び受信通信装置の双方に公知な一つ以上の暗号化鍵に基づいて、符号語発生器によって生成し得る。暗号化符号は次に、エアインタフェースを介して送信される。次に、受信通信装置は、符号を暗号化すべく使用された位相に対応する位相によって各受信暗号化符号をシフトすることによって、受信暗号化符号を暗号解読し、それによって暗号解読符号を生成する。逆符号マッパは次に、送信装置符号マッパによって用いられた符号マッピング方式に基づいて、各暗号解読符号に対応するビットを回復する。
【００５５】
本発明はその特定の実施例を参照して具体的に示し、説明してきたが、以下の請求項に示されるような本発明の範囲から外れることなく改変し得ること、及びそれらの要素を等価物と置換し得ることは当業者によって理解され得る。更に、本明細書において詳述された送信通信装置と受信通信装置の要素及び動作は包括的ではなく、とにかく発明を限定するよりはむしろ本発明の発明原理と優位性の理解及び認識を高めるために単に提供されることを当業者は十分に解っている。従って、明細書と図面は、制限的意味よりはむしろ例示的意味でみなされるべきであり、このような改変および置換は全て、本発明の範囲内に含めようとするものである。
【００５６】
利益、他の優位性、及び問題に対する解決方法を特定の実施例に関して上述してきた。しかし、これらの利益、優位性、問題に対する解決方法、及び任意の利益、優位性、又は解決方法を生じさせるか又はより明白にし得る如何なる要素も、何れかの又は全ての請求項の重要な、必須な、又は本質的な特徴又は要素であるとして解釈してはならない。本明細書で用いる場合、用語「具備する」、「具備している」、又はその他の如何なる変形も、非排他的な包含を網羅していることが意図されている。すなわち、要素のリストを備えるプロセス、方法、物品、又は装置には、これらの要素のみが含まれるのではなく、明白にリストにされてはいないか又はこのようなプロセス、方法、物品、又は装置に固有の他の要素が含まれていてもよい。更に、本明細書において別に示されなければ、存在する場合、第一と第二、上部と底部などの関係語の使用は、単に、別の実体又は働きから一つの実体又は働きを区別するために使用され、任意の実際上のこのような実体又は働きの間の如何なる関係または順番も必ずしも要求又は暗示することはない。
【図面の簡単な説明】
【００５７】
【図１】本発明の実施例に従う無線通信システムのブロック図。
【図２】本発明の種々の実施例に従う図１の通信システムの基本設計概念のブロック図。
【図３】本発明の様々な実施例に従う図２の通信システムの送信側の動作を例示する論理フローチャート。
【図４】本発明の実施例に従う図２の送信側の符号語発生器のブロック図。
【図５】本発明の様々な実施例に従う図２の送信側の符号語発生器の動作を例示する論理フローチャート。
【図６】本発明の実施例に従う図２の送信側の位相シフタのブロック図。
【図７】本発明の実施例に従う図２の送信側の位相シフタの動作を例示する論理フローチャート。
【図８】本発明の様々な実施例に従う図２の通信システムの受信側の動作を例示する論理フローチャート。
【図１】
0004685108.tif 000002
【図２】
0004685108.tif 000003
【図３】
0004685108.tif 000004
【図４】
0004685108.tif 000005
【図５】
0004685108.tif 000006
【図６】
0004685108.tif 000007
【図７】
0004685108.tif 000008
【図８】
0004685108.tif 000009